(57)【要約】【課題】  釣り用リールの表示装置において、リール全体を大型化することなく、リールに関する情報及び釣りに関する情報の視認性を向上させる。【解決手段】  表示部５は、画面の右端に水深のスケールＳＣを表示するととにも、スケールＳＣの右横に釣り用リール１００から得られた仕掛けの水深データＤ１を仕掛けをシンボル化した針の図形で水深に応じた位置に表示する。また、魚群探知機５２から受信した底位置の水深データＤ２及び棚位置の水深データＤ３をエコーデータの画像でスケールＳＣの左側の水深に応じた位置に時系列的に表示する。このとき、水深データＤ１と底位置の水深データＤ２及び棚位置の水深データＤ３とは異なる色調で表示されている。【選択図】      図３
2005229925.tif 000002
【特許請求の範囲】
【請求項１】
リール本体を有する釣り用リールに設けられ、前記釣り用リールにより収集されるリールに関する第１情報と、前記釣り用リールの外部に設けられた情報収集装置により収集される釣りに関する第２情報とを表示する釣り用リールの表示装置であって、
前記リール本体に装着されたケース部材と、
前記ケース部材に装着され、カラー表示可能な表示部と、
前記第１情報と前記第２情報とを異なる色調で前記表示部に表示可能な表示手段と、
を備えた釣り用リールの表示装置。
【請求項２】
前記表示部はドットマトリックス方式の液晶ディスプレイである、請求項１に記載の釣り用リールの表示装置。
【請求項３】
前記釣り用リールはスプールに巻き付けられる釣り糸に連結された仕掛けの水深を計測可能な水深計測手段をさらに有しており、
前記第１情報は前記水深計測手段で計測された水深情報である、請求項１又は２に記載の釣り用リールの表示装置。
【請求項４】
前記情報収集装置は、魚群探知機であり、
前記第２情報は、前記魚群探知機から得られる魚探情報である、請求項１から３のいずれか１項に記載の釣り用リールの表示装置。
【請求項５】
前記表示手段は、前記魚群探知機から得られる反射波の強弱に対応した複数の画像情報を異なる色調で前記表示部に表示可能である、請求項４に記載の釣り用リールの表示装置。
【請求項６】
前記表示手段は、前記魚群探知機から得られる複数の数値情報を異なる色調で前記表示部に表示可能である、請求項４又は５に記載の釣り用リールの表示装置。
【請求項７】
前記情報収集装置は、現在位置及び釣り場所を示す情報を収集する全地球測位システム（ＧＰＳ）であり、
前記第２情報は、前記全地球測位システム（ＧＰＳ）から得られる位置情報である、請求項１から６のいずれか１項に記載の釣り用リールの表示装置。
【請求項８】
前記表示手段は、複数の前記第１情報を異なる色調で前記表示部に表示可能である、請求項１から７のいずれか１項に記載の釣り用リールの表示装置。
【請求項９】
前記表示手段は、複数の前記第２情報を異なる色調で前記表示部に表示可能である、請求項１から８のいずれか１項に記載の釣り用リールの表示装置。
【請求項１０】
前記情報収集装置は前記第２情報を無線通信により外部に出力可能な無線送信手段をさらに有し、
前記釣り用リールは前記無線送信手段から送信された前記第２情報を無線通信により入力可能な無線受信手段をさらに有している、請求項１から９のいずれか１項に記載の釣り用リールの表示装置。
【発明の詳細な説明】
【技術分野】
【０００１】
本発明は、表示装置、特に、リールに関する第１情報と釣りに関する第２情報とを表示する釣り用リールの表示装置に関する。
【背景技術】
【０００２】
一般に、釣り用リールは、リール本体と、リール本体に装着されたスプールと、スプールを回転させるハンドルと、リール本体の上面に装着されたケース部材に水深表示用の表示部を有する表示装置とを備えている。表示部は、セグメント方式またはドットマトリックス方式の液晶ディスプレイであり、棚位置や現在の仕掛けの水深等を表示することができる。特に、ドットマトリックス方式の液晶ディスプレイでは、仕掛けの水深等のリールに関する情報を大量に表示できるので、近年多く用いられている。
【０００３】
また、釣り船には、魚群探知機や全地球測位システム（ＧＰＳ）等の釣りに関する情報を収集可能な情報収集装置が搭載されている。このように情報収集装置で収集された釣りに関する情報は、従来は、船頭が釣人に口頭で提供していたが、情報収集装置と釣り用リールとを無線接続し、釣りに関する情報を釣り用リールが受信して表示部に表示させるようにしたものが知られている。（たとえば、特許文献１参照）。このような釣り用リールでは、仕掛けの水深等のリールに関する情報と魚群情報等の釣りに関する情報とを１つの表示部に大量表示させることができる。
【特許文献１】特開２００２−１４２６２３号公報
【発明の開示】
【発明が解決しようとする課題】
【０００４】
前記従来の釣りに関する情報を受信可能な釣り用リールでは、釣り用リールの表示部にリールに関する情報を釣りに関する情報とともに大量表示させることができる。しかし、このようなリールに関する情報や釣りに関する情報は、情報量が大量であるので、従来の比較的小さい表示部にリールに関する情報及び釣りに関する情報のすべての情報を表示させると、これらの情報を識別できなくなるおそれが生じる。そこで、表示部を大きくすることが考えられるが、リール全体の大型化を招くおそれがある。
【０００５】
本発明の課題は、釣り用リールの表示装置において、リール全体を大型化することなく、リールに関する情報及び釣りに関する情報の視認性を向上させることにある。
【課題を解決するための手段】
【０００６】
発明１に係る釣り用リールの表示装置は、リール本体を有する釣り用リールに設けられ、釣り用リールにより収集されるリールに関する第１情報と、釣り用リールの外部に設けられた情報収集装置により収集される釣りに関する第２情報とを表示する釣り用リールの表示装置であって、リール本体に装着されたケース部材と、ケース部材に装着されカラー表示可能な表示部と、第１情報と第２情報とを異なる色調で表示部に表示可能な表示手段とを備えている。
【０００７】
この表示装置では、リールに関する第１情報と釣りに関する第２情報とを異なる色調で表示部にカラー表示させることができるので、第１情報と第２情報との識別が容易になる。したがって、表示部を大きくしなくても第１情報と第２情報との識別が容易になるので、リール全体を大型化することなく、リールに関する第１情報と釣りに関する第２情報の視認性を向上できる。
【０００８】
発明２に係る表示装置は、発明１の表示装置において、表示部はドットマトリックス方式の液晶ディスプレイである。この場合、ドットマトリックス方式の液晶表示を行う表示部に文字情報及び図形情報を表示させることにより、表示部の表現力を向上させることができとともに、第１情報や第２情報を詳細かつ大量に表示できる。
【０００９】
発明３に係る表示装置は、発明１又は２の表示装置において、釣り用リールはスプールに巻き付けられる釣り糸に連結された仕掛けの水深を計測可能な水深計測手段をさらに有している。第１情報は水深計測手段で計測された水深情報である。この場合、第１情報として仕掛けの水深情報を表示部に表示できる。
【００１０】
発明４に係る表示装置は、発明１から３のいずれかの表示装置において、情報収集装置は魚群探知機である。第２情報は魚群探知機から得られる魚探情報である。この場合、第２情報として魚群探知機からの魚群情報を表示部に表示できる。
【００１１】
発明５に係る表示装置は、発明４の表示装置において、表示手段は、魚群探知機から得られる反射波の強弱に対応した複数の画像情報を異なる色調で表示部に表示可能である。この場合、魚群探知機から得られる反射波の強弱に応じて、たとえばグラデーション表示になるように異なる色調の画像情報を表示させることにより、視認性をさらに向上できるので、魚群の密度や海底の形状、底質等を把握しやすくなる。
【００１２】
発明６に係る表示装置は、発明４又は５の表示装置において、表示手段は、魚群探知機から得られる複数の数値情報を異なる色調で表示部に表示可能である。この場合、たとえば漁場の底位置や魚の棚位置等を異なる色調の数値情報で表示することにより、視認性をより向上できる。
【００１３】
発明７に係る表示装置は、発明１から６のいずれかの表示装置において、情報収集装置は、現在位置及び釣り場所を示す情報を収集する全地球測位システム（ＧＰＳ）である。第２情報は全地球測位システム（ＧＰＳ）から得られる位置情報である。この場合、第２情報としてＧＰＳからの位置情報を表示部に表示できる。
【００１４】
発明８に係る表示装置は、発明１から７のいずれかの表示装置において、表示手段は、複数の第１情報を異なる色調で表示部に表示可能である。この場合、第１情報と第２情報とを異なる色調で表示させるだけでなく、複数の水深情報等の第１情報を異なる色調で表示させることにより、視認性をさらに向上できる。
【００１５】
発明９に係る表示装置は、発明１から８のいずれかの表示装置において、表示手段は、複数の第２情報を異なる色調で表示部に表示可能である。この場合、第１情報と第２情報とを異なる色調で表示させるだけでなく、漁場の底位置や魚の棚位置等の複数の第２情報を異なる色調で表示させることにより、視認性をより向上できる。
【００１６】
発明１０に係る表示装置は、発明１から９のいずれかの表示装置において、情報収集装置は第２情報を無線通信により外部に出力可能な無線送信手段をさらに有している。釣り用リールは無線送信手段から送信された第２情報を無線通信により入力可能な無線受信手段をさらに有している。この場合、釣り用リールと情報収集装置とを無線接続することにより、釣り用リールと情報収集装置とが比較的離れた位置にあっても、有線接続に比して接続が容易になる。
【発明の効果】
【００１７】
本発明によれば、釣り用リールの表示装置において、リールに関する第１情報と釣りに関する第２情報とを異なる色調で表示部に表示させることにより、リール全体を大型化することなく、釣りに関する情報及びリールに関する情報の視認性を向上できる。
【発明を実施するための最良の形態】
【００１８】
本発明の一実施形態による釣り用リールは、図１に示すように、表示部５を有する電動リールである。電動リールは、リール本体１と、リール本体１の側方に配置されたスプール回転用のハンドル２と、ハンドル２のリール本体１側に配置されたドラグ調整用のスタードラグ３と、リール本体１の上部に設けられたカウンタケース４とを主に備えている。
【００１９】
リール本体１は、釣竿に装着されるものであり、左右１対の第１側板７ａ及び第２側板７ｂとそれらを連結する複数の連結部８とからなるフレーム７と、第１側板７ａ及び第２側板７ｂの両側方を覆う第１側カバー９ａ及び第２側カバー９ｂとを有している。第２側カバー９ｂにはハンドル２が装着されており、ハンドル２の図示しない回転軸が回転自在に支持されている。第１側板７ａには外部電源接続用の図示しないコネクタが設けられている。下部の連結部８には釣竿装着用の竿取付脚８ａが取り付けられている。
【００２０】
リール本体１の内部には、ハンドル２に連結されたスプール１０が回転自在に支持されている。スプール１０の内部には、スプール１０を糸巻き上げ方向に回転駆動するモータ１２が配置されている。また、第２側カバー９ｂのハンドル２側側面には図示しないクラッチ機構を操作するためのクラッチレバー１１が配置されている。
【００２１】
カウンタケース４は、図１に示すように、リール本体１の上部に装着されたアルミニウム合金製のケースであり、内部の空間に各種の電気部品が収納されている。カウンタケース４の左側部には、釣り船に搭載された後述する魚群探知機５２やＧＰＳ５３（図２参照）からの釣りに関する情報を取り込むための無線送受信部５１が取り付けられている。
【００２２】
カウンタケース４は、図２に示すように、水深表示制御やモータ１２の駆動制御を行うＣＰＵ、ＲＡＭ、ＲＯＭ、Ｉ／Ｏインターフェイス等を含むマイクロコンピュータからなるリール制御部３０を有している。リール制御部３０には、スイッチ操作部６の各種スイッチや、スプール１０の回転位置及び方向を検出するためのスプールセンサ４１や、スプールセンサ４１の所定パルス毎に値が変化するスプールカウンタ４２や、無線送受信部５１を制御するための通信制御部５０が接続されている。また、リール制御部３０には、各種の警報を出力するためのブザー４３や、各種の表示を行うための表示部５や、各種のデータを記憶する記憶部４５や、モータ１２をＰＷＭ駆動するＦＥＴ等を含むＰＷＭ駆動回路４４や、他の入出力部が接続されている。
【００２３】
スプールセンサ４１は、スプール１０の回転方向に並んで配置された２つのリードスイッチを有しており、リードスイッチのパルスによりスプール回転位置及び速度を検出し、いずれのリードスイッチが先にパルスを発したかにより回転方向を検出可能である。
【００２４】
通信制御部５０には、無線送受信部５１が接続されており、無線通信により釣り船に設けられた魚群探知機５２やＧＰＳ５３からの釣り情報を取り込むことができる。釣り船に搭載された魚群探知機５２及びＧＰＳ５３は、通信制御部５４に接続されており、通信制御部５４は、無線送受信部５５に接続されている。これらの通信制御部５４及び無線送受信部５５も釣り船に搭載されている。そして電動リールに装着された無線送受信部５１と釣り船に搭載された無線送受信部との間で所定の通信プロトコルでデータを送受信し、魚群探知機５２やＧＰＳ５３で得られた釣りに関する情報のデータを電動リールに取り込むことができる。
【００２５】
表示部５は、仕掛けの水深や棚位置等のリールに関する情報に加えて外部から取り込んだ釣りに関する情報を表示するためのドットマトリックス方式のカラーＴＦＴ液晶ディスプレイ（ＬＣＤ）により構成されている。表示部５は、カウンタケース４の閉じたとき隠れる裏面から視認可能な位置に配置されており、外側に透明樹脂製の図示しないレンズカバーを有している。表示部５には、後述する通信モードのときには、図３に示すように、通信モード時のメニュー操作に応じて釣りに関する情報が仕掛けの水深等のリールに関する情報とともに表示される。これらの釣りに関する情報及びリールに関する情報は、異なる色調で表示されている。たとえば、釣りに関する情報は赤色で表示され、リールに関する情報は黒色で表示されている。
【００２６】
スイッチ操作部６は、図１に示すように、カウンタケース４の上面において、表示部５の右側と下側とにそれぞれ上下、左右に並べて配置されている。表示部５の右側のスイッチ操作部６は、図１に示すように、速度変更スイッチＳＫと、モータスイッチＰＷとを有している。表示部５の下側のスイッチ操作部６は、図６に示すように、メニュースイッチＭＮと、モードスイッチＭＤと、底メモスイッチＳＭとを有している。
【００２７】
モータスイッチＰＷは、モータ１２のオン、オフを行うためのスイッチである。速度変更スイッチＳＫは、モータ１２の速度を変更するための２方向スイッチである。速度変更スイッチＳＫの上スイッチを押すと増速し、下スイッチを押すと減速する。
【００２８】
メニュースイッチＭＮは各種のメニューを設定するためのスイッチである。底メモスイッチＳＭは、仕掛けが底に到達したときに押されるスイッチであり、そのときの水深が底として設定される。
【００２９】
モードスイッチＭＤは、各種のモードを設定するためのスイッチであり、たとえばモータ１２の回転制御としてテンション一定モードとスピード一定モードとが切り換えられる。また、モードスイッチＭＤは、表示部５の表示モードを通信モードと釣りモードとに切り換える。ここで、通信モードとは、接続された無線送受信部５１を介して釣り船からの釣り情報を獲得するときに使用されるモードであり、釣りモードはとは、釣りをするときに水深表示やスプール１０の速度表示等の各種の情報を表示するモードである。
【００３０】
また、モードスイッチＭＤは、メニュー画面においてカーソルを下方向に移動させるスイッチであり、底メモスイッチＳＭは、メニュー画面においてカーソルを左右方向に移動させるスイッチである。そして、メニュースイッチＭＮは、メニュー画面において各種のメニューを選択実行したり、決定するためのスイッチである。
【００３１】
次に、リール制御部３０によって行われる主な制御処理を図４以降に示す制御フローチャートに従って説明する。
【００３２】
電動リールに外部電源が接続されると、図４に示すステップＳ１において初期設定が行われる。ここでは各種のフラグをリセットや表示モードを釣りモードに設定する。
【００３３】
ステップＳ２では、表示部５に対する表示処理を行う。ここでは、表示モードに応じて釣りモードのときには、図６に示すように、算出された水深表示や速度表示等のリールに関する情報の表示を行う。また、通信モードのときには、図３（ａ）に示すように、通信モードの初期画面を表示する。この通信モードの初期画面では、通信メニューとして、たとえば「魚群探知機情報」、「ＧＰＳ情報」の２つのメニューが表示される。これらの２つの釣り情報をモードスイッチＭＤ及びメニュースイッチＭＮの操作により選択可能である。ここで、魚群探知機情報とは、魚群探知機５２から得られる釣り情報の処理を行うものである。ＧＰＳ情報とは、ＧＰＳ５３から得られる位置情報の表示を行うものである、ここから図３（ｂ）に示すように、釣りを行う場所の魚群の情報や、底位置及び棚位置の情報等の釣りに関する情報を表示できる。
【００３４】
表示部５は、図３（ｂ）示すように、画面の右端に水深のスケールＳＣを表示するととにも、スケールＳＣの右横に釣り用リール１００から得られた仕掛けの水深データＤ１を、たとえば仕掛けをシンボル化した針の図形で水深に応じた位置に表示する。また、魚群探知機５２から受信した底位置の水深データＤ２及び棚位置の水深データＤ３を反射波の強弱に対応したエコーデータの画像でスケールＳＣの左側の水深に応じた位置に時系列的に表示する。このとき、水深データＤ１と底位置の水深データＤ２及び棚位置の水深データＤ３とは異なる色調で表示されている。また、仕掛けの水深データＤ１の時系列的な変化である仕掛けの軌跡ＴＲをドット表示する。軌跡ＴＲは、ドット毎に異なる色調で表示されている。たとえば、時系列に沿って薄い灰色から濃い灰色に徐変するように色調が異なっている。さらに、海底の水深データＤ２の数値Ｄ２ｎを画面左下に表示するとともに、数値Ｄ２ｎの右に水深データＤ１の数値Ｄ１ｎも表示する。このとき、数値Ｄ１ｎと数値Ｄ２ｎとは異なる色調で表示されている。なお、数値Ｄ１ｎと仕掛けの水深データＤ１とは同じ色調で表示され、数値Ｄ２ｎと底位置の水深データＤ２及び棚位置の水深データＤ３とは同じ色調で表示されている。たとえば、数値Ｄ１ｎと仕掛けの水深データＤ１は赤色で表示され、数値Ｄ２ｎと底位置の水深データＤ２及び棚位置の水深データＤ３とは黒色で表示されている。
【００３５】
ステップＳ３では、スイッチ操作部６の各種スイッチ操作によるスイッチ入力の割り込みがなされたか否かを判断する。ステップＳ３においてスイッチ入力がなされると、ステップＳ６に移行し、スイッチ入力処理を行う。
【００３６】
ステップＳ４では、スプール１０が回転したか否かを判断する。この判断は、スプールセンサ４１の出力により判断する。スプール１０が回転していると判断すれば、ステップＳ４からステップＳ７に移行する。ステップＳ７では、通信モードであるか否かの判断を行い、通信モードのときにはステップＳ８に移行して、表示モードを通信モードから釣りモードに切り換える。通信モードではないときや、ステップＳ８の処理が終了すると、ステップＳ９の各動作モード処理に移行する。
【００３７】
ステップＳ５では、その他の指令がなされたか否かを判断する。その他の指令がなされるとステップＳ５からステップＳ１０に移行し、指令に応じたその他の処理を行う。
【００３８】
ステップＳ６のスイッチ入力処理では、図５のステップＳ１１でモードスイッチＭＤが操作されたか否かを判断する。ステップＳ１２では、速度変更スイッチＳＫが操作されたか否かを判断する。ステップＳ１３では他のスイッチが操作されたか否かを判断する。
【００３９】
モードスイッチＭＤが操作されたと判断するとステップＳ１１からステップＳ１５に移行し、表示モードが釣りモードか否かを判断する。釣りモードのときにはステップＳ１６に移行し、表示モードを通信モードに切り換える。通信モードのときにはステップＳ１７に移行し表示モードを釣りモードに切り換える。表示モードが通信モードに切り換えられると、通信制御部５０により無線送受信部５１を制御して釣り船に搭載された魚群探知機５２やＧＰＳ５３との通信が可能になり、図４のステップＳ２での表示処理で図３（ａ）に示す初期画面が表示され、メニューの魚群探知機情報を選択すると、図３（ｂ）に示すような釣り場での魚群探知機５２からの釣りに関する情報が表示される。
【００４０】
速度変更スイッチＳＫが操作されるとステップＳ１２からステップＳ１８に移行する。ステップＳ１８では、表示モードが釣りモードか否かを判断する。釣りモードと判断するとステップＳ１９に移行し、速度変更スイッチＳＫの上下操作に応じたモータ制御処理を行う。たとえば、速度変更スイッチＳＫが上側に押されると増速処理し、下側に押されるとその間だけ減速処理する。
【００４１】
ステップＳ１３では、その他のスイッチ操作がなされたか否かを判断する。その他のスイッチ操作がなされるとステップＳ１３からステップＳ２０に移行し、スイッチ操作に応じたその他のスイッチ入力処理を行う。
【００４２】
図４のステップＳ９の各動作モード処理では、図７のステップＳ４１でスプール１０の回転方向が糸繰り出し方向か否かを判断する。この判断は、スプールセンサ４１のいずれのリードスイッチが先にパルスを発したか否かにより判断する。スプール１０の回転方向が糸繰り出し方向と判断するとステップＳ４１からステップＳ４２に移行する。
【００４３】
ステップＳ４２では、スプールセンサ４１の所定パルス毎に減少するスプールカウンタ４２の値から記憶部４５に記憶されたデータを読み出し、繰り出された糸長を算出しさらに糸長から水深ＬＸを算出する。この得られた水深ＬＸがステップＳ２の表示処理で表示される。このときの表示部５の画面例を図６に示す。この釣りモードの各動作モード処理では、表示部５に仕掛けの水深やスプール１０の速度等のリールに関する情報が表示される。
【００４４】
ステップＳ４３では、得られた水深ＬＸが棚位置に一致したか、つまり、仕掛けが棚に到達したか否かを判断する。ステップＳ４４では、他の釣りモードか否かを判断する。他の釣りモードではない場合には、各動作モード処理を終わりメインルーチンに戻る。
【００４５】
水深が棚位置に一致するとステップＳ４３からステップＳ４５に移行し、仕掛けが棚に到達したことを報知するためにブザー４３を鳴らす。他の釣りモードの場合には、ステップＳ４４からステップＳ４６に移行し、指定された他の釣りモードを実行する。
【００４６】
スプール１０の回転が糸巻き取り方向と判断するとステップＳ４１からステップＳ４９に移行する。ステップＳ４９では、スプールセンサ４１の所定パルス毎に増加するスプールカウンタ４２の値から記憶部４５に記憶されたデータを読み出し、繰り出された糸長を算出しさらに糸長から水深ＬＸを算出する。この得られた水深ＬＸもステップＳ２の表示処理で表示される。
【００４７】
ステップＳ５０では、水深が船縁停止位置に一致したか否かを判断する。船縁停止位置まで巻き取っていない場合にはメインルーチンに戻る。
【００４８】
船縁停止位置に到達するとステップＳ５０からステップＳ５１に移行する。ステップＳ５１では、仕掛けが船縁にあることを報知するためにブザー４３を鳴らす。ステップＳ４４では、モータ１２をオフする。これにより魚が釣れたときに取り込みやすい位置に魚が配置される。この船縁停止位置は、たとえば水深６ｍ以内で所定時間以上スプール１０が停止しているとセットされる。
【００４９】
この電動リールでは、リールに関する水深データＤ１と、釣りに関する魚群探知機５２から得られる底位置の水深データＤ２及び棚位置の水深データＤ３とは異なる色調で表示されているので、リールに関する水深データＤ１と釣りに関する底位置の水深データＤ２及び棚位置の水深データＤ３との識別が容易になる。したがって、表示部５を大きくしなくてもリールに関する水深データＤ１と釣りに関する底位置の水深データＤ２及び棚位置の水深データＤ３との識別が容易になるので、リール全体を大型化することなく、リールに関する水深データＤ１と釣りに関する底位置の水深データＤ２及び棚位置の水深データＤ３との視認性を向上させることができる。
【００５０】
〔他の実施形態〕
（ａ）  前記実施形態では、釣り用リールとして電動リールを例にあげて説明したが、釣り用リールとしては表示部５を有するものであれば、たとえば手巻きのカウンタリール等どのようなものでもよい。また、表示部５は、図８に示すように、開閉式のカウンタケース４であってもよいし、あるいはリール本体１と別体で設ける構成にしてもよい。
【００５１】
（ｂ）  前記実施形態では、釣り船に搭載された魚群探知機５２やＧＰＳ５３からの釣りに関する情報を無線接続により獲得するようにしたが、有線接続により釣りに関する情報を獲得するようにしてもよい。
【００５２】
（ｃ）  前記実施形態では、釣り船の情報収集手段として魚群探知機５２やＧＰＳ５３を示したが、たとえば、釣り船がインターネット情報を収集できる機能を有している場合には、得られたインターネット情報を表示できるようにしてもよい。
【００５３】
（ｄ）  前記実施形態では、魚群探知機５２からの釣り情報とＧＰＳ５３からの釣り情報とを表示部５に選択的に表示するようにしたが、２つの情報を表示部５に一画面で表示するようにしてもよい。あるいは、魚群探知機５２またはＧＰＳ５３のいずれかのみからの情報を表示させるようにしてもよい。
【００５４】
（ｅ）  前記実施形態では、表示部５は、リールに関する水深データＤ１と釣りに関する底位置の水深データＤ２及び棚位置の水深データＤ３とを異なる色調で表示していたが、さらに底位置の水深データＤ２と棚位置の水深データＤ３とを異なる色調で表示するようにしてもよい。また、リールに関する水深データＤ１を複数表示させる場合、複数の水深データＤ１を異なる色調で表示するようにしてもよい。なお、釣りに関する情報は赤色で表示され、リールに関する情報は黒色で表示されていたが、これらの色調に限定されるものではない。
【図面の簡単な説明】
【００５５】
【図１】本発明の一実施形態による電動リールの斜視図。
【図２】電動リールの制御ブロック図。
【図３】通信モード時の表示画面の一例を示す図。
【図４】メインルーチンの処理の内容を示すフローチャート。
【図５】スイッチ入力処理の内容を示すフローチャート。
【図６】釣りモード時の表示画面の一例を示す図。
【図７】各動動作モード処理の内容を示すフローチャート。
【図８】他の実施形態の図１に相当する図。
【符号の説明】
【００５６】
４  カウンタケース
５  表示部
１０  スプール
３０  リール制御部
５０  通信制御部
５１  無線送受信部
５２  魚群探知機
５３  ＧＰＳ
【図１】
2005229925.tif 000003
【図２】
2005229925.tif 000004
【図３】
2005229925.tif 000005
【図４】
2005229925.tif 000006
【図５】
2005229925.tif 000007
【図６】
2005229925.tif 000008
【図７】
2005229925.tif 000009
【図８】
2005229925.tif 000010